(57)【要約】【課題】夏期にホルムアルデヒド等の化学物質が放出されやすいという課題があり、ホルムアルデヒド等の化学物質を屋外に放出する換気を積極的に行うことを目的としている。【解決手段】同時に給気と排気を実施する機能を備え、一時的に給気羽根車３の回転数を増加させ、３０分以上住居から居住者が外出したことを判断したときに、室内の温度が屋外の温度よりも高い場合は、給気量が増加するものであり、外出する際に窓が締め切られ、室内の温度が屋外の温度よりも高くなる場合が多く、帰宅時に室内の雰囲気に不快に感じるときがあり、また室内の温度が高いため建材などに含まれているホルムアルデヒドなどの化学物質が放出されやすいため、給気量を増加することで屋外の空気により室内の温度を低下するとともに、ホルムアルデヒドなどの化学物質を排出することができるという作用を有する。【選択図】図１
2009138987.tif 000002
【特許請求の範囲】
【請求項１】
２４時間常時換気機能として同時に給気と排気を実施する換気装置において、給気ファンの回転数を切替えて給気量を増加または増加させない給気量切替手段と、室内の温度を検知する室内温度検知手段と、屋外の温度を検知する屋外温度検知手段と、前記室内温度検知手段と前記屋外温度検知手段で検知した温度により判断を行う温度判断手段と、居住者が留守であるかどうかを判断する留守判断手段を備え、前記温度判断手段により、屋外温度検知手段で検知した屋外の温度が基準温度以上と判断し、前記留守判断手段により留守であると判断したときに、前記温度判断手段により、前記室内温度検知手段で検知した室内の温度が、前記屋外温度検知手段で検知した屋外の温度よりも高いと判断した場合は、前記給気量切替手段により給気量を増加させることを特徴とする換気装置。
【請求項２】
前記留守判断手段により居住者が留守でないと判断した場合は、給気量切替手段により給気量を増加させない請求項１記載の換気装置。
【請求項３】
留守判断手段は、居住者が直接操作できる指示手段である請求項１または２記載の換気装置。
【請求項４】
居住者が留守であるかどうかを検知する留守検知手段を備え、前記留守判断手段は前記留守検知手段の検知した結果により居住者が留守かどうかを判断する請求項１または２記載の換気装置。
【請求項５】
留守検知手段は人体検知手段である請求項４記載の換気装置。
【請求項６】
留守検知手段は窓開閉検知手段である請求項４または５記載の換気装置。
【請求項７】
留守検知手段は施錠検知手段である請求項４から６いずれか１項に記載の換気装置。
【請求項８】
室内温度検知手段で検知した室内の温度が基準温度以下になった場合は、給気量切替手段により給気量を増加させない請求項１から７いずれか１項に記載の換気装置。
【請求項９】
屋外の湿度を検知する屋外湿度検知手段を備え、屋外温度検知手段で検知した屋外の温度と屋外湿度検知手段で検知した屋外の湿度から露点温度を算出する演算部を備え、室内温度検知手段で検知した室内の温度が前記演算部で算出した露点温度に近似した場合は、給気量切替手段により給気量を増加させない請求項１から８いずれか１項に記載の換気装置。
【請求項１０】
室内の湿度を検知する室内湿度検知手段を備え、前記室内湿度検知手段で検知した室内の湿度よりも屋外湿度検知手段で検知した屋外の湿度が高い場合は、給気量切替手段により給気量を増加させない請求項９記載の換気装置。
【請求項１１】
屋外温度検知手段は、給気を行う流路である給気経路に配置し、室内温度検知手段は、排気を行う流路である排気経路に配置した請求項１から１０いずれか１項に記載の換気装置。
【請求項１２】
前記屋外湿度検知手段は、給気を行う流路である給気経路に配置した請求項９から１１いずれか１項に記載の換気装置。
【請求項１３】
前記室内湿度検知手段は、排気を行う流路である排気経路に配置した請求項１０から１２いずれか１項に記載の換気装置。
【請求項１４】
給気の流入部に屋外から花粉を除去するための花粉除去フィルタを備え、給気量切替手段により給気量を増加させたときに室内の静圧を屋外に対して正圧にして、花粉の侵入を防止した請求項１から１３いずれか１項に記載の換気装置。
【請求項１５】
花粉除去フィルタは室内側に設置され、メンテナンスが可能な構成である請求項１４記載の換気装置。
【請求項１６】
室内側には前面パネルを備え、前記前面パネルに前記人体検知手段を備えた請求項５から１５いずれか１項に記載の換気装置。
【請求項１７】
人体検知手段を定期的に動作する動作手段を備え、前記人体検知手段の検知する位置を広範囲にする請求項１６記載の換気装置。
【請求項１８】
人体検知手段の動作した位置を記憶する記憶手段を備え、前記動作手段は記憶した位置から検知する請求項１７記載の換気装置。
【請求項１９】
屋外に人体検知手段を備え、屋外に人体の検知を行った場合は、威嚇音を鳴らす防犯機能を備えた請求項１から１８いずれか１項に記載の換気装置。
【発明の詳細な説明】
【技術分野】
【０００１】
本発明は、居室等の室内環境を換気装置により２４時間常時換気を行う換気装置に関するものである。
【背景技術】
【０００２】
従来、この種の換気装置は、高気密高断熱住宅等の気密性の高い住宅の換気システムの同時給排気手段として常時換気を実施するものが知られている。
【０００３】
以下、その換気装置の一例について図１１を参照しながら説明する。
【０００４】
図１１に示すように、室内の暖房手段１０２と、室内に人が居るか否かを検知する人検知手段１０４とを備え、換気制御手段１０３は人検知手段１０４により室内に人が居ないことが検知されたときには、暖房手段１０２を動作させると共に、人検知手段１０４により人が居ることが検知されたときよりも換気手段１０１の単位時間当たりの換気量を増量側に調節する手段１０５を具備した換気装置がある。
【０００５】
これは、換気手段１０１を作動させて、建材から発散するホルムアルデヒド等の化学物質を排気するようにしたとき、通常は必要十分な程度に留め、室内の暖房により暖められたときには室温の上昇によりホルムアルデヒド等の化学物質の発散量が増加するときに換気量を増加させるものである。
【特許文献１】特開２００４ー２７８９３７号公報
【発明の開示】
【発明が解決しようとする課題】
【０００６】
このような従来の換気装置では、冬期よりも夏期にホルムアルデヒド等の化学物質が放出されやすいという課題があり、ホルムアルデヒド等の化学物質を積極的に屋外に排出することが要求されている。また、夏期は、住宅で外出時など、長時間窓を閉め切ることによって、熱気がこもったり、ホルムアルデヒドなどが放出され、住人が不快に感じたり、健康被害が生じる可能性があるという課題があり、熱気を屋外に放出することが要求されている。
【０００７】
本発明は、このような従来の課題を解決するものであり、夏期にホルムアルデヒド等の化学物質を屋外に放出する換気を積極的に行うことができ、また、長時間窓を閉め切った状態であっても、十分な換気ができ、室内を快適に維持できることができる換気装置を提供することを目的としている。
【課題を解決するための手段】
【０００８】
本発明の換気装置は、上記目標を達成するために、２４時間常時換気機能として同時に給気と排気を実施する機能を備え、一時的に給気ファンの回転数を増加させ、給気量を増加または増加させない給気量切替機能を備え、室内の温度を検知する室内温度検知手段と屋外の温度を検知する屋外温度検知手段を備え、居住者が留守であるかどうかを判断する判断手段を備え、前記判断手段により留守であると判断したときに、前期室内温度検知手段で検知した室内の温度が、前記屋外温度検知手段で検知した屋外の温度よりも高い場合は、前記給気量切替機能により給気量を増加させ、屋外の温度が基準温度以下になった場合は、前記給気量切替機能により給気量を増加させないものである。
【０００９】
この手段により夏期にホルムアルデヒド等の化学物質を屋外に放出する換気を積極的に行うことができ、また、長時間窓を閉め切った状態であっても、十分な換気ができ、室内を快適に維持できることができる換気装置が得られる。
【００１０】
また他の手段は、留守判断手段により居住者が留守でないと判断した場合は、給気量切替手段により給気量を増加させないものである。
【００１１】
この手段により居住者が留守でないことを判断した場合は、給気量の増加を行わない換気装置が得られる。
【００１２】
また他の手段は、留守判断手段は、居住者が直接操作できる指示手段であるものである。
【００１３】
この手段により居住者が留守にするときに指示を行えるため、給気量を増加するときの作動音の上昇を気にしなくて良い換気装置が得られる。
【００１４】
また他の手段は、居住者が留守であるかどうかを検知する留守検知手段を備え、前記留守判断手段は前記留守検知手段の検知した結果により居住者が留守かどうかを判断するものである。
【００１５】
この手段により留守の検知を行うことができ、留守である、または留守でないことを判断することができる換気装置が得られる。
【００１６】
また他の手段は、留守検知手段は人体検知手段であるものである。
【００１７】
この手段により居住者の留守の判断を人体検知手段により実施できるため、居住者が指示手段の操作を実施する煩わしさがない換気装置が得られる。
【００１８】
また他の手段は、留守検知手段は人体検知手段であるものである。
【００１９】
この手段により居住者が指示手段の操作を実施する煩わしさがなく、また窓が開いているときには、居住者は在宅しており、別の部屋にいる場合もあると考えられ、誤って留守と判断して無駄に給気を増加することがない換気装置が得られる。
【００２０】
また他の手段は、留守検知手段は施錠検知手段であるものである。
【００２１】
この手段により居住者の留守の判断を玄関の施錠の検知で実施できるため、居住者が指示手段の操作を実施する煩わしさがなく、また、居住者が隣室にいる場合の誤作動を防ぎ、もっとも確実に留守の判断をできる換気装置が得られる。
【００２２】
また他の手段は、室内温度検知手段で検知した室内の温度が基準温度以下になった場合は、給気量切替手段により給気量を増加させないものである。
【００２３】
この手段により夏期以外に運転を指示した場合でも、室内の温度が基準温度以下にならない換気装置が得られる。
【００２４】
また他の手段は、屋外の湿度を検知する屋外湿度検知手段を備え、屋外温度検知手段で検知した屋外の温度と屋外湿度検知手段で検知した屋外の湿度から露点温度を算出する演算部を備え、室内温度検知手段で検知した室内の温度が前記演算部で算出した露点温度に近似した場合は、給気量切替手段により給気量を増加させないものである。
【００２５】
この手段により雨が降り、屋外の湿度が高くなり、屋外の湿度の高い空気が室内に侵入して、室内を冷房して部屋の中が冷え切っているときに室内の壁体内結露の発生がないように使用できる換気装置が得られる。
【００２６】
また他の手段は、室内の湿度を検知する室内湿度検知手段を備え、前記室内湿度検知手段で検知した室内の湿度よりも屋外湿度検知手段で検知した屋外の湿度が高い場合は、給気量切替手段により給気量を増加させないものである。
【００２７】
この手段により屋外の湿気が高いときは、室内に湿気が入らないように使用できる換気装置が得られる。
【００２８】
また他の手段は、屋外温度検知手段は、給気を行う流路である給気経路に配置し、室内温度検知手段は、排気を行う流路である排気経路に配置したものである。
【００２９】
この手段により温度の検知を給気経路と排気経路で行うことで、検知精度を向上させる換気装置が得られる。
【００３０】
また他の手段は、屋外湿度検知手段は、給気を行う流路である給気経路に配置したものである。
【００３１】
この手段により湿度の検知を給気経路で行うことで、検知精度を向上させる換気装置が得られる。
【００３２】
また他の手段は、室内湿度検知手段は、排気を行う流路である排気経路に配置したものである。
【００３３】
この手段により湿度の検知を排気経路で行うことで、検知精度を向上させる換気装置が得られる。
【００３４】
また他の手段は、給気の流入部に屋外から花粉を除去するための花粉除去フィルタを備え、給気量を増加したときに室内の静圧を屋外に対して正圧にして、花粉の侵入を防止したものである。
【００３５】
この手段により花粉の流入部を部屋の一箇所に集中させて、花粉がフィルタを通過するときにフィルタに付着することで、花粉の部屋への進入を防止することができる換気装置が得られる。
【００３６】
また他の手段は、花粉除去フィルタは室内側に設置され、メンテナンスが可能な構成であるものである。
【００３７】
この手段により花粉除去フィルタのメンテナンスを容易にする換気装置が得られる。
【００３８】
また他の手段は、室内側には前面パネルを備え、前記前面パネルに前記人体検知手段を備えたものである。
【００３９】
この手段により人体検知手段を室内側の前面パネルに設置することで室内の状況を正確に検知することができる換気装置が得られる。
【００４０】
また他の手段は、人体検知手段を定期的に動作する動作手段を備え、前記人体検知手段の検知する位置を広範囲にするものである。
【００４１】
この手段により人体検知手段を動作させることで、室内を広範囲に検知でき、死角をなくすことができる換気装置が得られる。
【００４２】
また他の手段は、人体検知手段の動作した位置を記憶する記憶手段を備え、前記動作手段は記憶した位置から検知するものである。
【００４３】
この手段により過去に検知した場所から検知を始めることで、すばやい判断を実施できる換気装置が得られる。
【００４４】
また他の手段は、屋外に人体検知手段を備え、屋外に人体の検知を行った場合は、威嚇音を鳴らす防犯機能を備えたものである。
【００４５】
この手段により留守時に防犯機能を備えることで安心安全である換気装置が得られる。
【発明の効果】
【００４６】
本発明によれば夏期の留守中に換気を積極的に実施することで、帰宅時の冷房負荷を低減して、省エネルギーになる効果がある。また、ホルムアルデヒドなどの化学物質を積極的に排出することで健康を維持できるという効果のある換気装置を提供できる。
【発明を実施するための最良の形態】
【００４７】
本発明の請求項１記載の発明は、２４時間常時換気機能として同時に給気と排気を実施する機能を備え、一時的に給気ファンの回転数を増加させ、給気量を増加または増加させない給気量切替機能を備え、室内の温度を検知する室内温度検知手段と屋外の温度を検知する屋外温度検知手段を備え、居住者が留守であるかどうかを判断する判断手段を備え、前記判断手段により留守であると判断したときに、前期室内温度検知手段で検知した室内の温度が、前記屋外温度検知手段で検知した屋外の温度よりも高い場合は、前記給気量切替機能により給気量を増加させ、屋外の温度が基準温度以下になった場合は、前記給気量切替機能により給気量を増加させないものであり、夏期は、外出する際に窓が締め切られ、冷房などが停止しているため、室内の温度が屋外の温度よりも高くなる場合が多く、帰宅時に室内の雰囲気に不快に感じるときがあり、また室内の温度が高いため建材などに含まれているホルムアルデヒドなどの化学物質が放出されやすいため、給気量を増加することで屋外の空気により室内の温度を低下するとともに、ホルムアルデヒドなどの化学物質を排出することができるという作用を有する。
【００４８】
また、本発明の請求項２記載の発明は、留守判断手段により居住者が留守でないと判断した場合は、給気量切替手段により給気量を増加させないものであり、居住者が留守でないことを判断した場合は、給気量の増加を行わないという作用を有する。
【００４９】
また、本発明の請求項３記載の発明は、留守判断手段は、居住者が直接操作できる指示手段であるものであり、居住者が留守にするときに指示を行えるため、給気量を増加するときの作動音の上昇を気にしなくて良いという作用を有する。
【００５０】
また、本発明の請求項４記載の発明は、居住者が留守であるかどうかを検知する留守検知手段を備え、前記留守判断手段は前記留守検知手段の検知した結果により居住者が留守かどうかを判断するものであり、留守の検知を行うことができ、留守である、または留守でないことを判断することができるという作用を有する。
【００５１】
また、本発明の請求項５記載の発明は、留守検知手段は人体検知手段であるものであり、居住者の留守の判断を人体検知手段により実施できるため、居住者が操作を実施する煩わしさがないという作用を有する。
【００５２】
また、本発明の請求項６記載の発明は、留守検知手段は人体検知手段であるものであり、居住者の留守の判断を自動で実施できるため、居住者が操作を実施する煩わしさがなく、また窓が開いてきるときに無駄に給気を増加することもないという作用を有する。
【００５３】
また、本発明の請求項７記載の発明は、留守検知手段は施錠検知手段であるものであり、居住者の留守の判断を自動で実施できるため、居住者が操作を実施する煩わしさがなく、確実な留守の判断をできるという作用を有する。
【００５４】
また、本発明の請求項８記載の発明は、室内温度検知手段で検知した室内の温度が基準温度以下になった場合は、給気量切替手段により給気量を増加させないものであり、夏期以外に運転を指示した場合でも、室内の温度が基準温度以下にならないようにできるという作用を有する。
【００５５】
また、本発明の請求項９記載の発明は、屋外の湿度を検知する屋外湿度検知手段を備え、屋外温度検知手段で検知した屋外の温度と屋外湿度検知手段で検知した屋外の湿度から露点温度を算出する演算部を備え、室内温度検知手段で検知した室内の温度が前記演算部で算出した露点温度に近似した場合は、給気量切替手段により給気量を増加させないものであり、梅雨時には、室内の壁体内結露の発生がないように使用できるという作用を有する。
【００５６】
また、本発明の請求項１０記載の発明は、室内の湿度を検知する室内湿度検知手段を備え、前記室内湿度検知手段で検知した室内の湿度よりも屋外湿度検知手段で検知した屋外の湿度が高い場合は、給気量切替手段により給気量を増加させないものであり、屋外の湿気が高いときは、室内に湿気が入らないように使用できるという作用を有する。
【００５７】
また、本発明の請求項１１記載の発明は、屋外温度検知手段は、給気を行う流路である給気経路に配置し、室内温度検知手段は、排気を行う流路である排気経路に配置したものであり、温度検知を給気と排気で行うことで、検知精度を向上させることができるという作用を有する。
【００５８】
また、本発明の請求項１２記載の発明は、屋外湿度検知手段は、給気を行う流路である給気経路に配置したものであり、湿度の検知を給気で行うことで、検知精度を向上させることができるという作用を有する。
【００５９】
また、本発明の請求項１３記載の発明は、室内湿度検知手段は、排気を行う流路である排気経路に配置したものであり、湿度の検知を排気で行うことで、検知精度を向上させることができるという作用を有する。
【００６０】
また、本発明の請求項１４記載の発明は、給気の流入部に屋外から花粉を除去するための花粉除去フィルタを備え、給気量を増加したときに室内の静圧を屋外に対して正圧にして、花粉の侵入を防止したものであり、花粉の流入部を部屋の一箇所に集中させて除去することで、花粉進入を防止することができるという作用を有する。
【００６１】
また、本発明の請求項１５記載の発明は、花粉除去フィルタは室内側に設置され、メンテナンスが可能な構成であるものであり、花粉除去フィルタのメンテナンスを容易にすることができるという作用を有する。
【００６２】
また、本発明の請求項１６記載の発明は、室内側には前面パネルを備え、前記前面パネルの一部に人体検知手段を備えたものであり、人体検知手段を室内側の前面パネルに設置することで室内の状況を正確に検知することができるという作用を有する。
【００６３】
また、本発明の請求項１７記載の発明は、人体検知手段を定期的に動作する動作手段を備え、前記人体検知手段の検知する位置を広範囲にするものであり、人体検知手段を動作させることで、室内を広範囲に検知でき、死角をなくすことができるという作用を有する。
【００６４】
また、本発明の請求項１８記載の発明は、人体検知手段の動作した位置を記憶する記憶手段を備え、前記動作手段は記憶した位置から検知するものであり、過去に検知した場所から検知を始めることで、すばやい判断を実施できるという作用を有する。
【００６５】
また、本発明の請求項１９記載の発明は、屋外に人体検知手段を備え、屋外に人体の検知を行った場合は、威嚇音を鳴らす防犯機能を備えたものであり、留守時に防犯機能を備えることで安心安全であるという作用を有する。
【００６６】
以下、本発明の実施の形態について図面を参照しながら説明する。
【００６７】
（実施の形態１）
図１は、本発明の実施の形態１の換気装置の構成を示す斜視断面図、図２は壁面に設置された分解斜視図である。
【００６８】
図１に示すように、一例として、部屋の中である室内と、住宅の外となる屋外を連通するようにＶＵ管の呼び径１５０相当のパイプが挿入できる円筒状の開口部を住宅の壁面に貫通するように開け、室内側から挿入して装着する換気装置を設けている。
【００６９】
換気装置は、一例として、外郭１を構成する風洞２と、この風洞２内で２種類の羽根車（給気羽根車３と排気羽根車４）と、この２種類の羽根車を各々回転させる２種類の駆動用モータ（給気駆動用モータ５と排気駆動用モータ６）により換気機能を果たす構成となっている。
【００７０】
換気装置は、一例として、直径約８０ｍｍ相当の内周風路７を構成する入口内側風洞８を持ち、内周風路７の内側にプロペラファンまたはターボファンの形状をした排気羽根車４を設置している。
【００７１】
排気羽根車４と常時換気の排気量を満足するように回転の中心軸９で連結された排気駆動用モータ６を設けている。
【００７２】
また、排気羽根車４と回転の中心軸９が同一で、かつ排気羽根車４よりも直径が大きい給気羽根車３を排気羽根車４と排気駆動用モータ６よりも屋外側に設置している。
【００７３】
給気羽根車３のボス部１０の内周側は、連通する空洞となっており、排気羽根車４によって排気される空気を通過できる構成となっている。
【００７４】
給気羽根車３のボス部１０は、内周風路７の直径相当となっており、内周風路７を構成する入口内側風洞８の端部と給気羽根車３のボス部１０の端部は、一例として、１から３ｍｍ相当の空間が開いており、排気経路としての内周風路７を通過する排気空気と外郭１を構成する風洞２と一体となった給気経路としての外周風路１１を通過する給気空気が混ざりにくく、かつ給気羽根車３が回転時に内周風路７に接触しないように構成されている。
【００７５】
給気羽根車３は、常時換気の風量を満足するとともに、更に風量を増大することができるように設定された給気量切替機能として、回転数を可変することができる給気駆動用モータ５を設けている。
【００７６】
図２に示すように、室内側には、屋外の空気を流入するときに外気のほこりや花粉などを除去する機能を持つ花粉除去フィルタの一例である給気清浄プリーツフィルタ１２を室内側に設置された前面パネル１３の給気口１４に設置して、室内を正常な状態に保つ働きをしている。
【００７７】
排気経路としての内周風路７には、室内の異物を混入して排気羽根車４を破損しないために室内側の排気側格子１５を前面パネル１３の排気口１６に設置する構成になっている。
【００７８】
給気清浄プリーツフィルタ１２は、室内側から簡単に取り外すことができ、メンテナンスが容易にできるようになっている。
【００７９】
室内温度検知手段としての室内温度サーミスタ１７は、給気経路としての外周風路１１の一部に設置されている。
【００８０】
また、屋外温度検知手段としての屋外温度サーミスタ１８は、排気経路としての内周風路７の一部に設置されている。
【００８１】
居住者の在室または留守を指示するための入力手段であるスイッチ１９は、居住者が押しやすいように前面パネル１３の一部に備えている。
【００８２】
つぎに、本実施の形態１における動作を説明する。
【００８３】
図１および図２に示すように、換気装置は、住宅の壁面に設置されており、住宅の常時換気を行うため、風洞２の中の内周風路７を使って、排気羽根車４と排気駆動用モータ６を動作させて、室内側にある排気口１６から室内の空気が排気され、室内にある化学物質（一例としてホルムアルデヒド）を屋外に排出して、居住する人の健康を維持するものである。
【００８４】
２４時間換気を常時換気の換気量（一例として広さ１２畳、天井高さ２．５ｍの部屋の場合、有効換気量で２７．５ｍ3／ｈ）で実施しており、日常の生活をしている場合は、常時換気を実施している。しかし、夏期は室内の温度が上昇しやすく、住宅の建材に含まれた化学物質（一例としてホルムアルデヒド）が放出されやすいと考えられている。特に夏期の日中に居住者が留守にする場合は、防犯の関係上、住宅の窓を全て閉めて外出することが一般的である。その際に締め切られた部屋の温度は上昇し、日当たりのいい部屋では、室内温度が３０から４０℃になる場合もある。このときに、居住者が外出することをスイッチ１９にて指示すると共に、室内温度が屋外温度より高くなったことを検知（一例として測定精度を考慮して、室内温度＋０．５℃≧屋外温度）することで、給気羽根車３と給気駆動用モータ５の回転数を増加させて風量を上昇させた臨時給気を行うことで、外気を積極的に取り入れて室内の温度上昇を抑えると共に、住宅の建材から放出した化学物質（一例としてホルムアルデヒド）を屋外に放出することができる。
【００８５】
このとき、屋外の温度が、一例として２０℃以下の場合は、夏期ではないと判断して、外気の積極的な導入を停止し、常時換気を行う。
【００８６】
（実施の形態２）
本発明の実施の形態２は、実施の形態１と同一部分については同一番号を付し、詳細な説明は省略する。
【００８７】
図３は、本発明の実施の形態２の構成を示す斜視断面図、図４は、人体検知手段の構成を示す断面図、図５は、壁面側から見た斜視断面図、図６および図７は、別の手段の構成を示す構成図である。
【００８８】
図３に示すように、居住者の在室または留守を指示するための判断手段を居住者が意識することなく自動で行えるように、人体検知手段の一例である赤外線センサ２０による温度検知を前面パネル１３の一部に設置したものであり、この人体検知手段の一例である赤外線センサ２０によって、留守であることを判断できるようにしたものである。
【００８９】
なお、人体検知手段として、超音波や可視光が使用されることもある。
【００９０】
また、図４および図５に示すように、人体検知手段の一例である赤外線センサ２０は、一定の範囲までの検知しかできないため、センサ用駆動モータ２１に接続して、室内の広範囲を検知して、更に人体検知手段の一例である赤外線センサ２０の動作した位置を記録する記録手段の一例であるメモリ２２を使用して、人の検知した場所を記録することで、過去検知した場所から検索するようにしたものである。
【００９１】
しかし、人体検知手段だけでは、隣室に移動した場合には、留守であると判断して作動してしまうことが考えられるため、図６に示すように、窓が開閉していることを検知する窓開閉検知手段の一例である接触式センサ２３を窓の一部に配置して、窓が開いていることを判断して、人体検知がないことを併せて判断して留守であることを判断するものである。
【００９２】
これにより、居住者がわずか１０〜２０分ほど室内から出て、別の部屋に居る場合は留守であると判断しないようにしたものであり、少なくとも３０分以上は居住者がいないと判断した場合を留守と定義する。
【００９３】
更に、確実に留守であることを自動で検知するためには、図７に示すように、玄関の屋外側からの施錠を検知する施錠検知手段２４により留守であることを判断できるようにしたものである。
【００９４】
ここで、留守中の外気の導入を目的としているため、屋外の温度が一例として基準温度の２０℃以下となった場合は、室内の温度が下がりすぎるため、臨時給気（つまり、給気量を増加する運転）を常時換気に切り替えることで、外出から帰宅した居住者が、室内に戻ったときに室内が冷え切ることがなく、快適となる。
【００９５】
また、図５に示すように、屋外の湿度を検知する屋外湿度検知手段の一例である屋外湿度センサ２５を備え、屋外温度と屋外湿度から露点温度を算出する演算部の一例であるマイコン２６を備え、室内温度が露点温度に近似した場合（一例として室内温度―０．５℃＞露点温度）は、臨時給気（つまり、給気量を増加する運転）を常時換気に切り替えて、壁体内結露を防止するものである。
【００９６】
また、室内の湿度を検知する室内湿度検知手段の一例である室内湿度センサ２７（一例として電気抵抗式や電気容量式）を備え、室内の湿度よりも屋外の湿度が高い場合は、臨時給気（つまり、給気量を増加する運転）を常時換気に切り替えて、室内に湿度の高い空気が入らないようにしたものである。
【００９７】
図８に、温度判断手段と留守判断手段の制御フロー図、図９にブロック図を示す。
【００９８】
図８に示すように、居住者が最初に電源をＯＮとして、通常は常時換気を行っている。ここで、室内温度検知手段、屋外温度検知手段により温度を検知して、次の温度判断手段に移行する。
【００９９】
ここで、屋外の温度が基準温度よりも大きくなったと判断した場合は、温度判断手段によりＹｅｓと判断して、次の留守判断手段に移行し、屋外の温度が基準温度以下と判断した場合は、温度判断手段によりＮｏと判断して、給気量切替手段により給気量を増加させないようにして常時換気を継続する。
【０１００】
留守判断手段に移行した場合は、留守と判断した場合はＹｅｓと判断して、次の温度判断手段に移行し、留守と判断しない場合はＮｏと判断して、給気量切替手段により給気量を増加させないようにして常時換気を継続する。
【０１０１】
温度判断手段に移行した場合は、室内の温度が屋外の温度よりも大きくなったと判断し、温度判断手段によりＹｅｓと判断して、給気量切替手段により給気量を増加させて臨時給気を行い、温度判断手段によりＮｏと判断して、フィードバックして再度、温度を検知して、同じことを繰り返す制御を行う。
【０１０２】
図９に示すように、室内温度検知手段、屋外温度検知手段の検知した信号が温度判断手段に送信され、温度判断手段により、留守判断手段にて判断が必要な場合は、留守判断手段へ判断信号を出力して、留守判断手段において、留守を判断した場合は換気装置の給気ファンを制御する様子を示している。
【０１０３】
（実施の形態３）
本発明の実施の形態３は、実施の形態１および実施の形態２と同一部分については同一番号を付し、詳細な説明は省略する。
【０１０４】
図１０は、本発明の実施の形態３の構成を示す斜視断面図である。
【０１０５】
図１０に示すように、屋外に人体検知手段である屋外用赤外線センサ２８を備え、屋外に人体の検知を行った場合は、威嚇音（一例としてサイレン）を鳴らす防犯機能である防犯ブザー２９を備えて、留守時に防犯機能を備えることで安心安全を居住者に提供できる。
【産業上の利用可能性】
【０１０６】
必要な清浄度や用途にあわせて、無人の非居住箇所で換気を必要とする用途にも適用できる。
【図面の簡単な説明】
【０１０７】
【図１】本発明の実施の形態１の構成を示す斜視断面図
【図２】同斜視分解図
【図３】本発明の実施の形態２の構成を示す斜視断面図
【図４】同人体検知手段の構成を示す断面図
【図５】本発明の実施の形態２の構成を示す壁面側から見た斜視断面図
【図６】本発明の実施の形態２の構成を示す構成図
【図７】同別の構成を示す構成図
【図８】温度判断手段と留守判断手段の制御フロー図
【図９】温度判断手段と留守判断手段のブロック図
【図１０】本発明の実施の形態３の構成を示す斜視断面図
【図１１】従来の換気装置の構成を示す構成図
【符号の説明】
【０１０８】
１    外郭
２    風洞
３    給気羽根車
４    排気羽根車
５    給気駆動用モータ
６    排気駆動用モータ
７    内周風路
８    入口内側風洞
９    中心軸
１０  ボス部
１１  外周風路
１２  給気清浄プリーツフィルタ
１３  前面パネル
１４  給気口
１５  排気側格子
１６  排気口
１７  室内温度サーミスタ
１８  屋外温度サーミスタ
１９  スイッチ
２０  赤外線センサ
２１  センサ用駆動モータ
２２  メモリ
２３  接触式センサ
２４  施錠検知手段
２５  屋外湿度センサ
２６  マイコン
２７  室内湿度センサ
２８  屋外用赤外線センサ
２９  防犯ブザー
【図１】
2009138987.tif 000003
【図２】
2009138987.tif 000004
【図３】
2009138987.tif 000005
【図４】
2009138987.tif 000006
【図５】
2009138987.tif 000007
【図６】
2009138987.tif 000008
【図７】
2009138987.tif 000009
【図８】
2009138987.tif 000010
【図９】
2009138987.tif 000011
【図１０】
2009138987.tif 000012
【図１１】
2009138987.tif 000013